(57)【特許請求の範囲】
【請求項１】
サード・パーティ・エンティティによる、サード・パーティによって支援されたピア・トゥ・ピア（Ｐ２Ｐ）通信のための方法であって、
第２のモバイル・エンティティのための第１のメッセージを備える第１の情報を、第１のモバイル・エンティティから受信することと、
前記第１のモバイル・エンティティのための第２のメッセージを備える第２の情報を、前記第２のモバイル・エンティティから受信することと、
前記第１の情報と前記第２の情報との情報ビットのサブセットに少なくとも部分的に基づいて第３の情報を符号化することと、
ここで、前記第３の情報は、前記第１のメッセージまたは前記第２のメッセージのビットに対して実行される少なくとも１つの演算に関するキーを備える、
ここで、前記キーは、前記第１のメッセージおよび前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記第３の情報を、前記第１のモバイル・エンティティおよび前記第２のモバイル・エンティティへ送信することと、
前記符号化された第３の情報を復号して前記第１のメッセージまたは前記第２のメッセージを抽出するための処理情報を含む制御信号を送信することと、を備える方法。
【請求項２】
前記第３の情報を符号化することは、符号化前に、前記第１のメッセージおよび前記第２のメッセージの情報ビットのサブセットに対してＸＯＲ演算を実行することを備える、請求項１に記載の方法。
【請求項３】
前記第３の情報を符号化することは、変調前に、前記第１のメッセージおよび前記第２のメッセージの符号化されたビットに対してＸＯＲ演算を実行することを備える、請求項１に記載の方法。
【請求項４】
前記制御信号は、ダウンリンク制御信号またはラジオ・リソース制御（ＲＲＣ）信号を備える、請求項１に記載の方法。
【請求項５】
前記第３の情報は、前記第１のメッセージまたは前記第２のメッセージを抽出することを容易にするための前記キーを備える、請求項１に記載の方法。
【請求項６】
前記キーは、ラジオ・リソース制御（ＲＲＣ）シグナリングのコンテキストに、前記第３の情報のヘッダを備える、請求項５に記載の方法。
【請求項７】
前記ヘッダは、媒体アクセス制御（ＭＡＣ）プロトコル・データ・ユニット（ＰＤＵ）ヘッダを備える、請求項６に記載の方法。
【請求項８】
前記キーは、物理ダウンリンク制御チャネル（ＰＤＣＣＨ）シグナリングのコンテキストに、ＰＤＣＣＨペイロード部分、巡回冗長検査（ＣＲＣ）マスク、および、定義されたビット・パターンのうちの１つを備える、請求項５に記載の方法。
【請求項９】
前記サード・パーティ・エンティティは、ネットワーク・エンティティまたは第３のモバイル・エンティティを備える、請求項１に記載の方法。
【請求項１０】
前記ネットワーク・エンティティはｅＮＢを備える、請求項９に記載の方法。
【請求項１１】
サード・パーティ・エンティティによる、サード・パーティによって支援されたピア・トゥ・ピア（Ｐ２Ｐ）通信のための装置であって、
第２のモバイル・エンティティのための第１のメッセージを備える第１の情報を、第１のモバイル・エンティティから受信し、
前記第１のモバイル・エンティティのための第２のメッセージを備える第２の情報を、前記第２のモバイル・エンティティから受信し、
前記第１の情報と前記第２の情報との情報ビットのサブセットに少なくとも部分的に基づいて第３の情報を符号化し、
ここで、前記第３の情報は、前記第１のメッセージまたは前記第２のメッセージのビットに対して実行される少なくとも１つの演算に関するキーを備える、
ここで、前記キーは、前記第１のメッセージおよび前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記第３の情報を、前記第１のモバイル・エンティティおよび前記第２のモバイル・エンティティへ送信し、
前記符号化された第３の情報を復号して前記第１のメッセージまたは前記第２のメッセージを抽出するための処理情報を含む制御信号を送信するように構成された少なくとも１つのプロセッサと、
前記少なくとも１つのプロセッサに接続されたメモリと、を備える装置。
【請求項１２】
装置であって、
第２のモバイル・エンティティのための第１のメッセージを備える第１の情報を、第１のモバイル・エンティティから受信する手段と、
前記第１のモバイル・エンティティのための第２のメッセージを備える第２の情報を、前記第２のモバイル・エンティティから受信する手段と、
前記第１の情報と前記第２の情報との情報ビットのサブセットに少なくとも部分的に基づいて第３の情報を符号化する手段と、
ここで、前記第３の情報は、前記第１のメッセージまたは前記第２のメッセージのビットに対して実行される少なくとも１つの演算に関するキーを備える、
ここで、前記キーは、前記第１のメッセージおよび前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記第３の情報を、第１のモバイル・エンティティおよび第２のモバイル・エンティティへ送信する手段と、
前記符号化された第３の情報を復号して前記第１のメッセージまたは前記第２のメッセージを抽出するための処理情報を含む制御信号を送信する手段と、を備える装置。
【請求項１３】
前記制御信号は、ダウンリンク制御信号またはラジオ・リソース制御（ＲＲＣ）信号を備える、請求項１２に記載の装置。
【請求項１４】
前記第３の情報は、前記第１のメッセージまたは前記第２のメッセージを抽出することを容易にするための前記キーを備える、請求項１２に記載の装置。
【請求項１５】
コンピュータ実行可能命令を有するコンピュータ読取可能記憶媒体において、
前記コンピュータ実行可能命令は、コンピュータによって実行される場合、
第２のモバイル・エンティティのための第１のメッセージを備える第１の情報を、第１のモバイル・エンティティから受信し、
前記第１のモバイル・エンティティのための第２のメッセージを備える第２の情報を、前記第２のモバイル・エンティティから受信し、
前記第１の情報と前記第２の情報との情報ビットのサブセットに少なくとも部分的に基づいて第３の情報を符号化し、
ここで、前記第３の情報は、前記第１のメッセージまたは前記第２のメッセージのビットに対して実行される少なくとも１つの演算に関するキーを備える、
ここで、前記キーは、前記第１のメッセージおよび前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記第３の情報を、前記第１のモバイル・エンティティおよび前記第２のモバイル・エンティティへ送信し、
前記符号化された第３の情報を復号して前記第１のメッセージまたは前記第２のメッセージを抽出するための処理情報を含む制御信号を送信する、ことをコンピュータに対して実行させるためのコードを備えるコンピュータ読取可能な記憶媒体。
【請求項１６】
モバイル・エンティティによる、サード・パーティによって支援されたピア・トゥ・ピア（Ｐ２Ｐ）通信のための方法であって、
サード・パーティ・エンティティと通信しているピア・モバイル・エンティティのための第１のメッセージを備える第１の情報を、前記サード・パーティ・エンティティへ送信することと、
前記第１の情報及び他のモバイル・エンティティからの第２の情報の情報ビットのサブセットから符号化されたメッセージ部分と、前記第１のメッセージまたは前記他のモバイル・エンティティからの第２のメッセージのビットに対して実行される少なくとも１つの演算に関するキーと、を備える符号化された情報を、前記サード・パーティ・エンティティから受信することと、
ここで、前記キーは、前記第１のメッセージ及び前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記符号化された情報を復号するための処理情報を含む制御シグナリングを、前記サード・パーティ・エンティティから受信することと、
前記符号化された情報のメッセージ部分から、前記キーおよび前記処理情報に少なくとも部分的に基づいて、前記第２のメッセージを抽出することと、を備える方法。
【請求項１７】
前記制御シグナリングは、ダウンリンク制御信号またはラジオ・リソース制御（ＲＲＣ）信号を備える、請求項１６に記載の方法。
【請求項１８】
前記符号化された情報は、前記第１のメッセージまたは前記第２のメッセージを抽出することを容易にするための前記キーを備える、請求項１６に記載の方法。
【請求項１９】
前記キーは、ラジオ・リソース制御（ＲＲＣ）シグナリングのコンテキストに、前記符号化された情報のヘッダを備える、請求項１８に記載の方法。
【請求項２０】
前記ヘッダは、媒体アクセス制御（ＭＡＣ）プロトコル・データ・ユニット（ＰＤＵ）ヘッダを備える、請求項１９に記載の方法。
【請求項２１】
前記キーは、物理ダウンリンク制御チャネル（ＰＤＣＣＨ）シグナリングのコンテキストに、ＰＤＣＣＨペイロード部分、巡回冗長検査（ＣＲＣ）マスク、および、定義されたビット・パターンのうちの１つを備える、請求項１８に記載の方法。
【請求項２２】
モバイル・エンティティによる、サード・パーティによって支援されたピア・トゥ・ピア（Ｐ２Ｐ）通信のための装置であって、
サード・パーティ・エンティティと通信しているピア・モバイル・エンティティのための第１のメッセージを備える第１の情報を、前記サード・パーティ・エンティティへ送信し、
前記第１の情報及び他のモバイル・エンティティからの第２の情報の情報ビットのサブセットから符号化されたメッセージ部分と、前記第１のメッセージまたは前記他のモバイル・エンティティからの第２のメッセージのビットに対して実行される少なくとも１つの演算に関するキーと、を備える符号化された情報を、前記サード・パーティ・エンティティから受信し、
ここで、前記キーは、前記第１のメッセージ及び前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記符号化された情報を復号するための処理情報を含む制御シグナリングを、前記サード・パーティ・エンティティから受信し、
前記符号化された情報のメッセージ部分から、前記キーおよび前記処理情報に少なくとも部分的に基づいて、前記第２のメッセージを抽出するように構成されたプロセッサと、
前記少なくとも１つのプロセッサに接続されたメモリと、を備える装置。
【請求項２３】
装置であって、
サード・パーティ・エンティティと通信しているピア・モバイル・エンティティのための第１のメッセージを備える第１の情報を、前記サード・パーティ・エンティティへ送信する手段と、
前記第１の情報及び他のモバイル・エンティティからの第２の情報の情報ビットのサブセットから符号化されたメッセージ部分と、前記第１のメッセージまたは前記他のモバイル・エンティティからの第２のメッセージのビットに対して実行される少なくとも１つの演算に関するキーと、を備える符号化された情報を、前記サード・パーティ・エンティティから受信する手段と、
ここで、前記キーは、前記第１のメッセージ及び前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記符号化された情報を復号するための処理情報を含む制御シグナリングを、前記サード・パーティ・エンティティから受信する手段と、
前記符号化された情報のメッセージ部分から、前記キーおよび前記処理情報に少なくとも部分的に基づいて、前記第２のメッセージを抽出する手段と、を備える装置。
【請求項２４】
前記制御シグナリングは、ダウンリンク制御信号またはラジオ・リソース制御（ＲＲＣ）信号を備える、請求項２３に記載の装置。
【請求項２５】
前記符号化された情報は、前記第１のメッセージまたは前記第２のメッセージを抽出することを容易にするための前記キーを備える、請求項２３に記載の装置。
【請求項２６】
コンピュータ実行可能命令を有するコンピュータ読取可能記憶媒体において、
前記コンピュータ実行可能命令は、コンピュータによって実行される場合、
サード・パーティ・エンティティと通信しているピア・モバイル・エンティティのための第１のメッセージを備える第１の情報を、前記サード・パーティ・エンティティへ送信し、
前記第１の情報及び他のモバイル・エンティティからの第２の情報の情報ビットのサブセットから符号化されたメッセージ部分と、前記第１のメッセージまたは前記他のモバイル・エンティティからの第２のメッセージのビットに対して実行される少なくとも１つの演算に関するキーと、を備える符号化された情報を、前記サード・パーティ・エンティティから受信し、
ここで、前記キーは、前記第１のメッセージ及び前記第２のメッセージのそれぞれのサイズに関する情報を備える、
ここで、前記それぞれのサイズは、前記第１のメッセージ及び前記第２のメッセージのそれぞれの伝送ブロック・サイズ（ＴＢＳ）を備える、
ここで、前記第１のメッセージ及び前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージのサイズにしたがって前記情報ビットのサブセットを定義することと、
をさらに備える、
前記符号化された情報を復号するための処理情報を含む制御シグナリングを、前記サード・パーティ・エンティティから受信し、
前記符号化された情報のメッセージ部分から、前記キーおよび前記処理情報に少なくとも部分的に基づいて、前記第２のメッセージを抽出する、ことをコンピュータに対して実行させるためのコードを備えるコンピュータ読取可能な記憶媒体。
【発明の詳細な説明】
【関連出願に対する相互参照】
【０００１】
本特許出願は、本特許出願の譲受人に譲渡され、本明細書において参照によってその全体が明確に組み込まれている２０１１年２月２２日出願の「サード・パーティによって支援されたピア・トゥ・ピア通信のためのシステムおよび方法」（SYSTEM AND METHOD FOR THIRD-PARTY ASSISTED PEER-TO-PEER COMMUNICATION）と題された仮出願６１／４４５，４０５に対する優先権を主張する。
【技術分野】
【０００２】
本願は、一般に、無線通信に関し、さらに詳しくは、無線デバイスのピア・トゥ・ピア通信のためのネットワーク符号化に関する。
【背景技術】
【０００３】
第３世代パートナシップ計画ロング・ターム・イボリューション（ＬＴＥ）は、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。ＬＴＥ物理レイヤ（ＰＨＹ）は、イボルブド・ノードＢ（ｅＮＢ）と、例えばアクセス端末（ＡＴ）またはユーザ機器（ＵＥ）のようなモバイル・エンティティとの間で、データと制御情報との両方を伝送する非常に効率的な手段である。ＬＴＥ  ＰＨＹは、セルラ・アプリケーションに対して新しいいくつかの先進技術を適用する。これらは、直交周波数分割多重（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データは、指定された数のシンボル期間にわたって、サブキャリア毎ベースで、複数のユーザとの間で送られるようになる。
【０００４】
例えば音声およびデータのようなさまざまなタイプの通信コンテンツを提供するために広く開発された旧式の無線通信システムの例は、ＣＤＭＡ２０００および広帯域ＣＤＭＡを含む符号分割多元接続（ＣＤＭＡ）システムと、グローバル移動体通信システム（ＧＳＭ（登録商標））と、ユニバーサル・モバイル・テレコミュニケーション・システム（ＵＭＴＳ）とを含む。これらの無線通信システムおよびＬＴＥシステムは一般に、異なるラジオ・アクセス技術（ＲＡＴ）および通信プロトコルを使用し、異なる周波数帯域で動作し、異なるサービス品質（ＱｏＳ）を与え、異なるタイプのサービスおよびアプリケーションをシステム・ユーザへ提供する。
【０００５】
ダイレクトな無線接続では、第１のモバイル・エンティティが、第２のモバイル・エンティティへと無線信号をダイレクトに送信する。第２のモバイル・エンティティは、この無線信号を受信して処理する。ダイレクトな無線接続の例は、ＬＴＥ通信プロトコルまたはその他の無線通信プロトコルでのモバイル・エンティティからｅＮＢ（単数または複数）への接続、または、例えばＷｉＦｉダイレクトまたはブルートゥースのような非セルラ・プロトコルで使用されるようなモバイル・エンティティ間のピア・トゥ・ピア（Ｐ２Ｐ）接続を含む。セルラ無線通信システムは、一般に、モバイル・エンティティ間のダイレクトな接続を含まない。むしろ、モバイル・エンティティは一般に、１または複数のノードＢおよび関連付けられたネットワーク・インフラストラクチャを介して互いに非ダイレクトに通信する。このコンテキストでは、サード・パーティによって支援されているＰ２Ｐ通信を管理するために、ネットワーク符号化を効率的に実施するためのニーズがある。
【発明の概要】
【０００６】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態の範囲を線引きすることも意図されていない。その唯一の目的は、後述されるより詳細な記載に対する前置きとして、簡略化された形式で１または複数の実施形態のいくつかの概念を表すことである。
【０００７】
本明細書に記載された実施形態のうちの１または複数の態様によれば、（例えば、イボルブド・ノードＢ（ｅＮＢ）等のようなネットワーク・エンティティのような）サード・パーティ・エンティティによる、サード・パーティによって支援されたピア・トゥ・ピア（Ｐ２Ｐ）のための方法が提供される。この方法は、第１のモバイル・エンティティから第１の情報を受信することを含みうる。第１の情報は、第２のモバイル・エンティティのための第１のメッセージを備える。この方法はさらに、第２のモバイル・エンティティから第２の情報を受信することを含みうる。第２の情報は、第１のモバイル・エンティティのための第２のメッセージを備える。この方法はさらに、第１の情報と第２の情報とに少なくとも部分的に基づいて第３の情報を符号化することと、第３の情報を、第１のモバイル・エンティティおよび第２のモバイル・エンティティへ送信することと、を含みうる。方法はさらに、符号化された第３の情報を復号して第１のメッセージまたは第２のメッセージを抽出するための処理情報を含む制御信号を送信することを含みうる。関連する態様では、電子デバイス（例えば、ｅＮＢまたはその構成要素（単数または複数））が、前述した方法を実行するように構成されうる。関連するさらなる態様では、サード・パーティ・エンティティは、ネットワーク・エンティティではなく、第３のモバイル・エンティティでありうる。
【０００８】
本明細書に記載された実施形態のうちの１または複数の態様によれば、（例えば、ユーザ機器（ＵＥ）等のような）モバイル・エンティティによる、サード・パーティによって支援されたＰ２Ｐ通信のための方法が提供される。この方法は、第１の情報をサード・パーティ・エンティティへ送信することを含みうる。第１の情報は、サード・パーティ・エンティティと通信しているピア・モバイル・エンティティのための第１のメッセージを備える。この方法はさらに、符号化された情報を、サード・パーティ・エンティティから受信することを含みうる。符号化された情報は、メッセージ部分を備える。この方法はさらに、サード・パーティ・エンティティから制御シグナリングを受信することを含みうる。制御シグナリングは、符号化された情報を復号するための処理情報を含む。この方法はさらに、符号化された情報のメッセージ部分から、第１の情報および処理情報に少なくとも部分的に基づいて、第２のメッセージを抽出すること、を含みうる。関連する態様では、電子デバイス（例えば、ＵＥまたはその構成要素（単数または複数））が、前述された方法を実行するように構成されうる。
【０００９】
前述した目標および関連する目標の達成のために、１または複数の実施形態は、後に十分に説明され、特許請求の範囲で特に指摘される特徴を含む。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１０】
【図１】図１は、多元接続無線通信システムを例示する。
【図２】図２は、通信システムのブロック図を例示する。
【図３】図３は、多くのユーザをサポートするように構成された無線通信システムを例示する。
【図４】図４は、ラジオ・アクセス・ネットワークを介して、および、ダイレクトな無線接続を介して通信しているモバイル・エンティティを例示する。
【図５】図５は、ＷＡＮ通信とＰ２Ｐ通信との両方をサポートする無線通信ネットワークを示す。
【図６】図６は、サード・パーティ・エンティティによる、サード・パーティによって支援されたＰ２Ｐ通信のための方法を示す。
【図７】図７は、図６の方法のさらなる態様を示す。
【図８Ａ】図８Ａは、モバイル・エンティティによる、サード・パーティによって支援されたＰ２Ｐ通信のための方法を示す。
【図８Ｂ】図８Ｂは、図８Ａの方法のさらなる態様を示す。
【図９】図９は、図６−７の方法にしたがう、サード・パーティによって支援されたＰ２Ｐ通信のための装置を示す。
【図１０】図１０は、図８Ａ−Ｂの方法にしたがう、サード・パーティによって支援されたＰ２Ｐ通信のための装置を示す。
【発明を実施するための形態】
【００１１】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００１２】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。以下の記載では、簡潔化および明確化の理由のために、国際電気通信連合（ＩＴＵ）によって、３ＧＰＰ規格の下で公布されたように、Ｗ−ＣＤＭＡ規格およびＬＴＥ規格に関連付けられた専門用語が使用される。本明細書で記載された技術は、例えば前述した技術および規格のようなその他の技術に適用可能であることが強調されねばならない。
【００１３】
単一キャリア変調および周波数領域等値化を利用するシングル・キャリア周波数分割多元接続（ＳＣ−ＦＤＭＡ）は、ＯＦＤＭＡシステムのものと同等のパフォーマンスと、実質的に同じ全体的な複雑さとを持つ技術である。ＳＣ−ＦＤＭＡ信号は、その固有の単一キャリア構造のために、より低い平均ピーク対電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。ＳＣ−ＦＤＭＡは、３ＧＰＰ  ＬＴＥ、または、イボルブドＵＴＲＡにおけるアップリンク多元接続のために使用される。
【００１４】
図１に示すように、１つの実施形態にしたがう多元接続無線通信システムが例示される。アクセス・ポイント１００（ＡＰ）（例えば、基地局、イボルブド・ノードＢ（ｅＮＢ）等）は、複数のアンテナ・グループを含んでいる。１つは１０４，１０６を含み、他のものは１０８，１１０を含み、さらに他のものは１１２，１１４を含む。図１では、おのおののアンテナ・グループについて２本のアンテナしか示されていない。しかしながら、おのおののアンテナ・グループについて、それより多くまたはそれより少ないアンテナが利用されうる。モバイル・エンティティ１１６はアンテナ１１２，１１４と通信している。ここで、アンテナ１１２，１１４は、順方向リンク１２０でモバイル・エンティティ１１６に情報を送信し、逆方向リンク１１８でモバイル・エンティティ１１６から情報を受信する。モバイル・エンティティ１２２はアンテナ１０４，１０６と通信している。ここで、アンテナ１０４，１０６は、順方向リンク１２６でモバイル・エンティティ１２２に情報を送信し、逆方向リンク１２４でモバイル・エンティティ１２２から情報を受信する。周波数分割デュプレクス（ＦＤＤ）システムでは、通信リンク１１８，１２０，１２４，１２６は、通信のために異なる周波数を使用しうる。例えば、順方向リンク１２０は、逆方向リンク１１８によって使用されるものとは異なる周波数を使用することができる。
【００１５】
通信するように設計された領域および／またはアンテナのおのおののグループは、しばしば、アクセス・ポイントのセクタと称される。ある実施形態では、おのおののアンテナ・グループは、アクセス・ポイント１００によってカバーされる領域のセクタ内のモバイル・エンティティと通信するように設計される。
【００１６】
順方向リンク１２０，１２６による通信では、アクセス・ポイント１００の送信アンテナは、他のモバイル・エンティティ１１６，１２２の順方向リンクの信号対雑音比を改善するためにビームフォーミングを利用しうる。さらに、有効範囲領域にわたってランダムに散在するモバイル・エンティティへ送信するためにビームフォーミングを用いるアクセス・ポイントは、そのすべてのモバイル・エンティティへと単一のアンテナによって送信するアクセス・ポイントよりも、近隣のセル内のモバイル・エンティティに対して少ない干渉しかもたらさない。
【００１７】
アクセス・ポイントは、端末と通信するために使用される固定局であり、アクセス・ポイント、ノードＢ、ｅＮＢ、あるいはその他幾つかの専門用語でも称されうる。モバイル・エンティティは、アクセス端末（ＡＴ）、ユーザ機器（ＵＥ）、移動局、無線通信デバイス、端末等とも称されうる。
【００１８】
図２は、ＭＩＭＯシステム２００における送信機システム２１０（アクセス・ポイントとしても知られている）および受信機システム２５０（モバイル・エンティティとしても知られている）の実施形態のブロック図である。送信機システム２１０では、多くのデータ・ストリームのトラフィック・データが、データ・ソース２１２から送信（ＴＸ）データ・プロセッサ２１４に提供される。
【００１９】
実施形態では、おのおののデータ・ストリームが、それぞれの送信アンテナを介して送信される。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２０】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームの多重化されたパイロットおよび符号化されたデータは、その後、データ・ストリームのために選択された特定の変調スキーム（例えば、バイナリ・フェーズ・シフト・キーイング（ＢＳＰＫ）、ｍアレイ・フェーズ・シフト・キーイング（Ｍ−ＰＳＫ）、または、マルチ・レベル直交振幅変調（Ｍ−ＱＡＭ））に基づいて変調（すなわち、シンボル・マップ）され、変調シンボルが提供される。おのおののデータ・ストリームのデータ・レート、符号化、および変調は、メモリ２３２と動作可能に通信しうるプロセッサ２３０によって実行される命令群によって決定されうる。
【００２１】
データ・ストリームの変調シンボルはその後、ＴＸ  ＭＩＭＯプロセッサ２２０へ提供される。ＴＸ  ＭＩＭＯプロセッサ２２０はさらに、（例えばＯＦＤＭのため）変調シンボルを処理する。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２４】
ＲＸデータ・プロセッサ２６０は、ＮＲ個の受信機２５４からＮＲ個のシンボル・ストリームを受信し、受信したＮＲ個のシンボル・ストリームを、特定の受信機処理技術に基づいて処理して、ＮＴ個の検出済みシンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０によるこの処理は、基地局２１０におけるＴＸ  ＭＩＭＯプロセッサ２２０およびＴＸデータ・プロセッサ２１４によって実行されるものに相補的である。
【００２５】
プロセッサ２７０は、前述したように、どのプリコーディング行列を使用するのかを定期的に決定する。プロセッサ２７０は、行列インデクス部およびランク値部を備えた逆方向リンク・メッセージを規定することができ、メモリ２７２と動作可能に通信しうる。
【００２６】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２７】
送信機システム２１０では、受信機システム２５０からの変調信号がアンテナ２２４によって受信され、受信機２２２によって調整され、復調器２４０によって復調され、ＲＸデータ・プロセッサ２４２によって処理されることによって、受信機システム２５０によって送信された逆方向リンク・メッセージが抽出される。さらに、プロセッサ２３０は、ビームフォーミング重みを決定するためにどのプリコーディング行列を使用するかを決定し、その後、この抽出されたメッセージを処理する。
【００２８】
図３は、多くのユーザをサポートするように構成され、本明細書に記載された教示が実施される無線通信システム３００を例示する。このシステム３００は、例えばマクロ・セル３０２ａ−３０２ｇのような複数のセル３０２のための通信を提供する。ここで、各セルは、対応するアクセス・ノード３０４（例えば、アクセス・ノード３０４ａ−３０４ｇ）によってサービス提供される。図３に示すように、モバイル・エンティティ３０６（例えば、モバイル・エンティティ３０６ａ−３０６ｌ）は、経時的にシステム内のさまざまな位置に分布しうる。おのおののモバイル・エンティティ３０６は、モバイル・エンティティ３０６がアクティブであるか、および、（適用可能であれば）ソフト・ハンドオフにあるかに依存して、所与の瞬間において、順方向リンク（“ＦＬ”）および／または逆方向リンク（“ＲＬ”）によって、１または複数のアクセス・ノード３０４と通信しうる。無線通信システム３００は、大規模な地理的領域にわたってサービスを提供しうる。例えば、マクロ・セル３０２ａ−３０２ｇは、都市または都市郊外の近隣の数ブロック、あるいは地方環境における数平方マイルをカバーしうる。
【００２９】
本開示の主題の態様にしたがって、ピア・トゥ・ピア（Ｐ２Ｐ）通信のためにスペクトル・プロバイダ（例えば、ＬＴＥネットワーク・プロバイダ）を用いるための機能を有する無線ネットワーク（例えば、３ＧＰＰネットワーク）が提供される。このコンテキストでは、Ｐ２Ｐ通信は、アクセス・ノードまたはコア・ネットワーク・ノードを介して通信されたデータを転送する必要のない、２つのモバイル・エンティティ間のダイレクトな通信である。
【００３０】
図４は、ラジオ・アクセス・ネットワーク（ＲＡＮ）のｅＮＢ４０２，４０４を介して、または、ダイレクトな無線接続を介して通信するモバイル・エンティティ４０６，４０８，４１０を備える通信システム４００の実施形態を示す。図示されている例は、（１）同じｅＮＢ４０４におけるセルにキャンプしたＵＥ４０８，４１０と、（２）異なるそれぞれのｅＮＢ４０２，４０４のセルにキャンプしたＵＥ４０６，４１０とのピア発見を例示する。ピア発見は、ラジオ周波数（ＲＦ）近傍内のＵＥにおいて通知された他のサービスの利用可能性をＵＥが検出する手順であり、一般に、ピア通知およびピア検出を含みうる。
【００３１】
ピア・モバイル・エンティティは、検出を実行し、許可されたモバイル・エンティティが、検出を実行可能にするための情報（例えば、セキュリティ・キー等）を受信しうる。さらに、ピア・モバイル・エンティティは、通知を実行し、許可されたモバイル・エンティティが、発見識別子を通知可能にするための情報（例えば、セキュリティ・キー）を受信しうる。モバイル・エンティティはそれぞれ、許可されていない発見識別子を通知することを控える。さらに、ピア・モバイル・エンティティは、ダイレクトな通信を実行しうる。ここで、各モバイル・エンティティは、許可されていない発見識別子を通知するピアとのダイレクトな通信を確立することを控える。
【００３２】
ネットワーク・プロバイダまたはスペクトル・プロバイダは、前述したＰ２Ｐ通信手順を実行するためにネットワークのスペクトルをモバイル・ネットワークが使用することを許可しうることが注目される。さらには、モバイル・エンティティは、Ｐ２Ｐパラメータをプロビジョンされず、各手順または手順のセットのための許可を要求することが期待されることが注目される。例えば、モバイル・エンティティは、検出、検出および通知、および／またはダイレクトな通信のための許可を求めうる。本明細書に記載された技術に基づく許可は、（ａ）トラッキング・エリア更新（ＴＡＵ：tracking area update）手順のためのトラッキング・エリア毎であるか、（ｂ）接続手順のために接続されている間であるか、および／または、（ｃ）イボルブド・パケット・システム（ＥＰＳ）セッション・マネジメント（ＥＳＭ）手順のために確保されたベアラの寿命に基づいている。
【００３３】
図５は、ＬＴＥネットワークまたはその他いくつかのタイプのＷＡＮでありうる広域ネットワーク（ＷＡＮ）５００を示す。ＷＡＮ５００は、多くの基地局と、その他のネットワーク・エンティティを含みうる。簡略のために、３つの基地局５１０ａ，５１０ｂ，５１０ｃと、１つのネットワーク・コントローラ５３０のみが図５に図示されている。基地局は、ＵＥと通信するエンティティでありうる。そして、ノードＢ、ｅＮＢ、アクセス・ポイント等とも称されうる。おのおのの基地局は、特定の地理的領域のための有効通信範囲を提供し、有効通信範囲エリア内に位置するＵＥのための通信をサポートしうる。３ＧＰＰでは、用語「セル」は、この用語が使用されるコンテキストに依存して、この有効通信範囲エリアにサービス提供している基地局および／または基地局サブシステムからなる有効通信範囲エリアを称しうる。３ＧＰＰ２では、用語「セクタ」または「セル・セクタ」は、この有効通信範囲エリアにサービス提供している基地局および／または基地局サブシステムのうちの有効通信範囲エリアを称しうる。明瞭化のために、本明細書では、「セル」の３ＧＰＰ概念が使用される。
【００３４】
基地局は、マクロ・セル、ピコ・セル、フェムト・セル、および／または、その他のタイプのセルのための通信有効範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的領域（例えば、住宅）をカバーし、フェムト・セルとの関連性を有するＵＥ（例えば、クローズされた加入者グループ内のＵＥ）による制限されたアクセスを可能にしうる。図５に示す例では、ＷＡＮ５００は、マクロ・セルのためのマクロ基地局５１０ａ，５１０ｂ，５１０ｃを含む。ＷＡＮ５００はさらに、ピコ・セルのためのピコ基地局、および／または、フェムト・セルのためのフェムト／ホーム基地局（図５に図示せず）をも含みうる。
【００３５】
ネットワーク・コントローラ５３０は、基地局のセットに接続しており、これら基地局のために調整および制御を提供しうる。ネットワーク・コントローラ５３０は、バックホールを介して基地局と通信しうる。基地局もまた、バックホールを介して互いに通信しうる。地理位置情報データベース・サーバ５４０が、ネットワーク・コントローラ５３０および／またはその他のネットワーク・エンティティに接続しうる。サーバ５４０は、以下に記載されるように、無許可のスペクトルの使用をサポートしうる。
【００３６】
本明細書の記載では、ＷＡＮ通信は、例えば、他のＵＥのような遠隔局とのコールのための、ＵＥと基地局との間の通信を称しうる。アクセス・リンクは、ＵＥと基地局との間の通信リンクを称しうる。Ｐ２Ｐ通信は、基地局を介さない、複数のＵＥ間のダイレクトな通信を称しうる。また、Ｐ２Ｐ通信は、複数のＵＥ間の、サード・パーティ・エンティティによって支援された通信を称しうる。ここで、サード・パーティ・エンティティは、基地局、他のＵＥ等でありうる。Ｐ２Ｐリンクは、Ｐ２Ｐ通信に参加している複数のＵＥ間の通信リンクを称しうる。Ｐ２Ｐグループは、Ｐ２Ｐ通信に参加している複数のＵＥからなるグループを称しうる。１つの設計では、Ｐ２Ｐグループにおける１つのＵＥが、Ｐ２Ｐサーバとして指定されうる。そして、Ｐ２Ｐグループにおける残りの各ＵＥが、Ｐ２Ｐクライアントとして指定されうる。Ｐ２Ｐサーバは、例えば、ＷＡＮとのシグナリングの交換、Ｐ２ＰサーバとＰ２Ｐクライアント（単数または複数）との間のデータ送信の調整等のようなある管理機能を実行しうる。
【００３７】
図５に図示される例において、ＵＥ５２０ａ，５２０ｂは、基地局５１０ａの有効通信範囲下にあり、Ｐ２Ｐ通信に参加している。ＵＥ５２０ｃ，５２０ｄは、基地局５１０ｂの有効通信範囲下にあり、Ｐ２Ｐ通信に参加している。ＵＥ５２０ｅ，５２０ｆは、異なる基地局５１０ｂ，５１０ｃの有効通信範囲下にあり、Ｐ２Ｐ通信に参加している。ＵＥ５２０ｇ，５２０ｈ，５２０ｉは、同じ基地局５１０ｃの有効通信範囲下にあり、Ｐ２Ｐ通信に参加している。図５におけるその他のＵＥ１２０は、ＷＡＮ通信に参加している。
【００３８】
ＷＡＮ５００は、ネットワーク・オペレータに許可された１または複数の周波数チャネルにおいて動作しうる。ＷＡＮ５００は、許可された周波数チャネル（単数または複数）におけるＷＡＮ通信とＰ２Ｐ通信との両方をサポートしうる。この場合、許可された周波数チャネル（単数または複数）におけるいくつかのリソースが、Ｐ２Ｐ通信のために確保され、残りのリソースが、ＷＡＮ通信に使用されうる。用語「スペクトル」は、一般に、例えば周波数帯域または周波数チャネルのような周波数の範囲を称する。
【００３９】
本明細書に記載された実施形態のうちの１または複数の態様によれば、ネットワーク符号化およびＰ２Ｐ通信へのアプリケーションのための技術が提供されている。Ｐ２Ｐ通信システムでは、モバイル・エンティティのユーザは、互いにダイレクトに通信しうる。それに加えて、あるいは、その代案として、例えば、モバイル・エンティティのユーザは、基地局（例えばｅＮＢ）または別のモバイル・エンティティのようなサード・パーティ・エンティティを介して互いに通知しうる。例えば、第１のユーザは、第１の情報Ａを、サード・パーティに送信し、サード・パーティは、その後、第１の情報Ａを、第２のユーザへ送信しうる。同様に、第２のユーザは、第２の情報Ｂを、サード・パーティに送信し、サード・パーティは、その後、第２の情報Ｂを、第１のユーザへ送信しうる。
【００４０】
ノミナルな通信システムでは、第１の情報Ａが（例えば、ターボ符号化、畳み込み符号化、および／または、その他の符号化スキームを用いて）符号化され、変調され、送信されうる。このような符号化プロセスは、第２の情報Ｂの符号化プロセスに依存しない。例えば、第１の情報Ａ＋巡回冗長検査（ＣＲＣ）→ターボ符号化→スクランブリング→変調→ＲＦ送信。
【００４１】
サード・パーティ（例えば、第３のユーザ）は、第１の情報Ａおよび第２の情報Ｂを第３の／符号化された情報Ｃとして結合し、この第３の情報Ｃを第１のユーザと第２のユーザとに同時に送信しうる。第１のユーザおよび第２のユーザは、パケットを復号するために、既存の情報（例えば、第１の情報Ａまたは第２の情報Ｂ）を、第３の／符号化された／結合された情報Ｃとともに利用しうる。例えば、第１のユーザは、第１の情報Ａ（すなわち、第１のユーザが第２のユーザに送信したい情報）を使用しうる一方、第２のユーザは、第２の情報Ｂ（すなわち、第２のユーザが第１のユーザに送信したい情報）を使用しうる。
【００４２】
第１の情報Ａと第２の情報Ｂとを、第３の情報Ｃとして結合するための多くのアプローチが存在する。１つのアプローチでは、符号化前に、第１の情報Ａおよび／または第２の情報Ｂの情報ビットに対してＸＯＲ演算等が実行されうる。別のアプローチでは、ＸＯＲ演算等が、変調前に、第１の情報Ａおよび／または第２の情報Ｂの符号化されたビットに対して実行されうる。また別のアプローチでは、第３の／符号化された情報Ｃを生成するために、第１の情報Ａおよび／または第２の情報Ｂに対して線形タイプの演算が実行されうる。
【００４３】
関連する態様では、第３のエンティティは、第１のモバイル・エンティティおよび第２のモバイル・エンティティが、第３の／符号化された情報Ｃをどのようにして復号／利用するかのみならず、サード・パーティ・エンティティがこの追加の処理をどのパケット（単数または複数）に適用したのか、に関する情報を、第１のモバイル・エンティティおよび第２のモバイル・エンティティにシグナルまたは提供しなければならない。このようにして、第１のモバイル・エンティティおよび第２のモバイル・エンティティは、第２の情報Ｂおよび第１の情報Ａを復元するために、それぞれどの追加処理を実施するのかを知るだろう。
【００４４】
Ｐ２Ｐ通信システムの１つの実施形態では、２つのピアが、２つのピアの間でデータまたはシグナリングを転送するためにサード・パーティ・エンティティを使用しうる。例えば、第１のユーザおよび第２のユーザまたはモバイル・エンティティは、ノミナルＬＴＥ  ＵＥでありうる。第３のユーザすなわちサード・パーティ・エンティティは、ｅＮＢまたはその他のネットワーク・エンティティでありうる。第１のユーザおよび第２のユーザは、データ／情報を交換するために、サード・パーティ・エンティティと通信しうる。例えば、ｅＮＢは、以下の処理のうちの１または複数によって実行されたパケットを送信する場合に、さらなる情報を伝送するために、ダウンリンク制御信号（例えば、物理ダウンリンク制御チャネル（ＰＤＣＣＨ））またはレイヤ３シグナリングを利用しうる。（ａ）符号化前に第１のユーザおよび第２のユーザに向けられた情報ビットのＸＯＲ（情報ビットの数が第１のユーザおよび第２のユーザのために同じである場合、各ビットについて、ＸＯＲ演算が実行されうる。情報ビットの数が異なる場合、これらビットのサブセットについてＸＯＲ演算等が実行されうる）。（ｂ）変調前に第１のユーザおよび第２のユーザのためのビットを符号化するＸＯＲ演算。または、（ｃ）結果として得られるパケットが、第１のユーザおよび第２のユーザの情報ビットの関数となるその他の処理。
【００４５】
関連する態様では、結果として得られる第３の／符号化された情報Ｃは、第３の／符号化された情報Ｃから第１の情報Ａおよび／または第２の情報Ｂを抽出するためのキーを含みうる。レイヤ３シグナリング（ラジオ・リソース制御（ＲＲＣ）シグナリングまたはブロードキャスト）のために、第１のユーザおよび第２のユーザは、どのパケット（単数または複数）がｅＮＢによる前述した処理／符号化によるのかを判定するために、既知のシステム情報に関連するキーを使用しうる。例えば、このキーは、第３の情報Ｃのヘッダを備えうる。
【００４６】
ＰＤＣＣＨによるレイヤ１シグナリングのために、ＰＤＣＣＨペイロード部分、ＣＲＣマスク、および／または、ＰＤＣＣＨにおいて与えられた／定義されたビット・パターンは、ＰＤＣＣＨ許可に関するＰＤＳＣＨが、ｅＮＢによる前述した処理／符号化が行われているか否かを含むかまたは示しうる。このキーはまた、例えば、情報のそれぞれのサイズが異なりうる場合、第１の情報Ａおよび第２の情報Ｂのサイズに関する情報を含みうる。例えば、情報Ａおよび／または情報Ｂのサイズは、ＬＴＥにおける伝送ブロック・サイズ（ＴＢＳ）を備えうる。
【００４７】
ＵＥの観点から、ＵＥは、ＰＤＳＣＨが前述した処理／符号化のうちの１または複数によって実行されたとのシグナリングを受信すると、他のＵＥがｅＮＢを介してＵＥへ送信しようと思っている情報を復元するために、以前に送信した情報、および、現在受信しているＰＤＳＣＨを利用しうる。例えば、第１のユーザの第１のモバイル・エンティティは、第２のモバイル・エンティティによってｅＮＢを介して送信された第２の情報Ｂを復元するために、（ａ）以前に送信した第１の情報Ａと、（ｂ）現在受信しているＰＤＳＣＨまたは第３の／符号化された情報Ｃを利用しうる。
【００４８】
さらなる関連する態様では、ＰＤＳＣＨにおける媒体アクセス制御（ＭＡＣ）プロトコル・データ・ユニット（ＰＤＵ）制御ユニットにおいてシグナリングも実行されうる。送信機はまた、現在のダウンリンクＭＡＣ  ＰＤＵを復号するためにどのアップリンクＭＡＣ  ＰＤＵが使用されねばならないかをシグナルしうる。このシグナリングは、ダウンリンクＭＡＣ  ＰＤＵヘッダ等のペイロードに組み込まれうる。前述した処理／コーディングは、ＭＡＣ  ＰＤＵヘッダに適合しない。送信機は、処理／符号化（例えば、ＸＯＲ演算等）を実行する場合、これらのユーザからのＴＢＳが一致するように、ユーザをペアリングしうる。代替案では、ＴＢＳが異なっている場合、第１の情報Ａと第２の情報Ｂとの両方のそれぞれのＴＢＳを一致させるために、短い伝送ブロックがパディングされうる。
【００４９】
本明細書に記載および図示された典型的なシステムを考慮すると、開示された主題にしたがって実現される方法は、さまざまなフローチャートを参照してより良く認識されるだろう。説明の単純化の目的のために、これら方法は一連の動作／ブロックとして図示および説明されているが、権利主張される主題は、いくつかのブロックが、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００５０】
本開示の主題のうちの１または複数の態様によれば、サード・パーティによって支援されるＰ２Ｐ通信のための方法が提供される。図６を参照して、例えばネットワーク・エンティティ（例えば、基地局）またはモバイル・エンティティ（例えば、ＵＥ）のようなサード・パーティ・エンティティにおいて実行されうる方法６００が例示される。方法６００は、６１０において、第１のモバイル・エンティティから第１の情報を受信することを含みうる。第１の情報は、第２のモバイル・エンティティのための第１のメッセージを備える。方法６００は、６２０において、第２のモバイル・エンティティから第２の情報を受信することを含みうる。第２の情報は、第１のモバイル・エンティティのための第２のメッセージを備える。方法６００は、６３０において、第１の情報および第２の情報に少なくとも部分的に基づいて、第３の情報を符号化することを含みうる。方法６００は、６４０において、第３の情報を、第１のモバイル・エンティティおよび第２のモバイル・エンティティへ送信することを含みうる。方法６００は、６５０において、符号化された第３の情報を復号して第１のメッセージまたは第２のメッセージを抽出するための処理情報を含む制御信号を送信することを含みうる。関連する態様では、制御信号は、ダウンリンク制御信号、ラジオ・リソース制御（ＲＲＣ）信号等でありうる。
【００５１】
図７に示すように、符号化は、６６０において、符号化前に、第１のメッセージおよび第２のメッセージの情報ビットにＸＯＲ演算等を実行することを含みうる。代案では、符号化は、６６５において、変調前に、第１のメッセージおよび第２のメッセージの符号化されたビットに対してＸＯＲ演算等を実行することを含みうる。
【００５２】
関連する態様では、第３の情報は、第１のメッセージまたは第２のメッセージを抽出することを容易にするためのキーを含みうる（ブロック６７０）。このキーは、第１のメッセージおよび第２のメッセージのそれぞれのサイズに関する情報を含みうる。それぞれのサイズは、第１のメッセージおよび第２のメッセージのそれぞれのＴＢＳでありうる。第１のメッセージと第２のメッセージのそれぞれのＴＢＳが異なっていると判定することに応じて、方法６００は、６８０において、第１のメッセージと第２のメッセージのうち、より小さなＴＢＳを持つ所与のメッセージを識別することと、６８５において、第１のメッセージおよび第２のメッセージのそれぞれのＴＢＳに一致させるために、識別された所与のメッセージの所与の伝送ブロックをパディングすることとを含みうる。
【００５３】
さらなる態様では、キーは、第１のメッセージおよび第２のメッセージのビットに対して実行される少なくとも１つの演算に関する情報を含みうる（ブロック６９０）。例えば、このキーは、ＲＲＣシグナリングのコンテキストに、第３の情報のヘッダを含めうる。このヘッダは、ＭＡＣ  ＰＤＵヘッダでありうる。別の例において、このキーは、ＰＤＣＣＨシグナリングのコンテキストに、ＰＤＣＣＨペイロード部分、ＣＲＣマスク、および、定義されたビット・パターンを含めうる。
【００５４】
本開示の主題の１または複数の態様によれば、図８Ａは、モバイル・エンティティ（例えば、ＵＥ）によって実行されうる、サード・パーティによって支援されたＰ２Ｐ通信のための方法８００を例示する。方法８００は、８１０において、サード・パーティ・エンティティ（例えば、ネットワーク・エンティティまたはその他のモバイル・エンティティ）へ第１の情報を送信することを含みうる。第１の情報は、サード・パーティ・エンティティと通信しているピア・モバイル・エンティティのための第１のメッセージを備える。方法８００は、８２０において、サード・パーティ・エンティティから、符号化された情報を受信することを含みうる。符号化された情報は、メッセージ部分を備える。方法８００は、８３０において、サード・パーティ・エンティティから、制御シグナリングを受信することを含みうる。制御シグナリングは、符号化された情報を復号するための処理情報を含む。方法８００は、８４０において、符号化された情報のメッセージ部分から、第１の情報および処理情報に少なくとも部分的に基づいて、第２のメッセージを抽出することを含みうる。
【００５５】
図８Ｂに示すように、制御シグナリングは、ダウンリンク制御信号またはＲＲＣ信号を含みうる（ブロック８５０）。符号化された情報は、第１のメッセージまたは第２のメッセージを抽出することを容易にするためのキーを含みうる（ブロック８６０）。このキーは、ＲＲＣシグナリングのコンテキスト内に、符号化された情報のヘッダを含めうる（ブロック８７０）。例えば、ヘッダは、ＭＡＣ  ＰＤＵヘッダでありうる（ブロック８８０）。このキーは、ＰＤＣＣＨシグナリングのコンテキスト内に、ＰＤＣＣＨペイロード部分、ＣＲＣマスク、および／または、定義されたビット・パターンを含めうる（ブロック８９０）。
【００５６】
本明細書に記載された実施形態のうちの１または複数の態様によれば、図６−７を参照して上述したような、サード・パーティによって支援されたＰ２Ｐ通信のためのデバイスおよび装置が提供される。図９に示すように、例えば、無線ネットワークにおけるネットワーク・エンティティ（例えば、ｅＮＢ）またはその他のモバイル・エンティティ（例えば、ＵＥ）、または、ネットワークまたはモバイル・エンティティ内で使用されるプロセッサまたは類似のデバイスのようなサード・パーティ・エンティティとして構成されうる典型的なモバイル装置９００が提供される。装置９００は、プロセッサ、ソフトウェア、またはこれらの組み合わせ（例えば、ファームウェア）によって実施される機能を表しうる機能ブロックを含みうる。
【００５７】
例えば、図９の装置９００は、第１のモバイル・エンティティから第１の情報を受信する電子構成要素またはモジュール９０２を備えうる。第１の情報は、第２のモバイル・エンティティのための第１のメッセージを備える。例えば、電子構成要素９０２は、プロセッサおよび／またはメモリに接続された少なくとも１つの受信機を含みうる。電子構成要素９０２は、第１のモバイル・エンティティから第１の情報を受信する手段でありうるか、含みうる。第１の情報は、第２のモバイル・エンティティのための第１のメッセージを備える。前述した手段は、少なくとも１つの受信機（例えば、図２の受信機２２２ａ−ｔ、復調器２４０、および／または、ＲＸデータ・プロセッサ、または図９のトランシーバ９１４）でありうるか、含みうる。
【００５８】
装置９００は、第２のモバイル・エンティティから第２の情報を受信する第２の構成要素９０４を備えうる。第２の情報は、第１のモバイル・エンティティのための第２のメッセージを備える。例えば、電子構成要素９０４は、プロセッサおよび／またはメモリに接続された少なくとも１つの受信機を含みうる。電子構成要素９０４は、第２のモバイル・エンティティから第２の情報を受信する手段を含みうる。第２の情報は、第１のモバイル・エンティティのための第２のメッセージを備える。前述した手段は、少なくとも１つの受信機（例えば、図２の受信機２２２ａ−ｔ、復調器２４０、および／または、ＲＸデータ・プロセッサ２４２、または図９のトランシーバ９１４）でありうるか、含みうる。
【００５９】
装置９００は、第１の情報および第２の情報に少なくとも部分的に基づいて第３の情報を符号化するための電子構成要素９０６を備えうる。例えば、電子構成要素９０６は、受信機、送信機、および／または、メモリに接続された少なくとも１つのプロセッサを含みうる。電子構成要素９０６は、第１の情報と第２の情報とに少なくとも部分的に基づいて第３の情報を符号化する手段でありうるか、含みうる。前述した手段は、少なくとも１つの制御プロセッサ（例えば、図２のプロセッサ２３０または図９のプロセッサ９１０）であるか、含みうる。
【００６０】
装置９００は、第３の情報を、第１のモバイル・エンティティおよび第２のモバイル・エンティティへ送信するための電子構成要素９０８を備えうる。例えば、電子構成要素９０８は、プロセッサおよび／またはメモリに接続された少なくとも１つの送信機を含みうる。電子構成要素９０８は、第１のモバイル・エンティティおよび第２のモバイル・エンティティへ第３の情報を送信する手段であるか、含みうる。前述した手段は、少なくとも１つの送信機（例えば、図２の送信機２２２ａ−ｔ、ＴＸ  ＭＩＭＯプロセッサ２２０、および／またはＴＸデータ・プロセッサ２１４、または図９のトランシーバ９１４）でありうるか、含みうる。
【００６１】
装置９００は、符号化された第３の情報を復号して第１のメッセージまたは第２のメッセージを抽出するための処理情報を含む制御信号を送信するための電子構成要素９０９を備えうる。例えば、電子構成要素９０９は、プロセッサおよび／またはメモリに接続された少なくとも１つの送信機を含みうる。電子構成要素９０８は、第１のモバイル・エンティティおよび第２のモバイル・エンティティへ第３の情報を送信するための手段でありうるか、含みうる。前述した手段は、少なくとも１つの送信機（例えば、図２の送信機２２２ａ−ｔ、ＴＭ  ＭＩＭＯプロセッサ２２０、および／または、ＴＸデータ・プロセッサ２１４、または図９のトランシーバ９１４）でありうるか、含みうる。
【００６２】
関連する態様では、装置９００は、オプションとして、プロセッサではなくネットワーク・エンティティとして構成された装置９００の場合、少なくとも１つのプロセッサを有するプロセッサ構成要素９１０を含みうる。この場合、プロセッサ９１０は、バス９１２または類似の通信カップリングによって、構成要素９０２−９０９と動作可能に通信しうる。プロセッサ９１０は、電子構成要素９０２−９０９によって実行される処理または機能の開始およびスケジューリングを有効にしうる。
【００６３】
さらに関連する態様では、装置９００は、ラジオ・トランシーバ構成要素９１４を含みうる。スタンド・アロンの受信機、および／または、スタンド・アロンの送信機が、トランシーバ９１４の代わりに、あるいは、トランシーバ９１４と連携して使用されうる。装置９００は、オプションとして、例えばメモリ・デバイス／構成要素９１６のように、情報を格納するための構成要素を含みうる。コンピュータ読取可能な媒体またはメモリ構成要素９１６が、バス９１２等によって、装置９００のその他の構成要素に動作可能に接続されうる。メモリ構成要素９１６は、構成要素９０２−９０９、これらのサブ構成要素、またはプロセッサ９１０、あるいは、本明細書で開示された方法の処理および挙動を有効にするためのコンピュータ読取可能命令およびデータを格納するように適応されうる。メモリ構成要素９１６は、電子構成要素９０２−９０９に関連付けられた機能を実行するための命令群を保持しうる。これら構成要素９０２−９０９は、メモリ９１６の外側にあるとして示されているが、メモリ９１６内に存在しうることが理解されるべきである。
【００６４】
本明細書に記載された実施形態の１または複数の態様によれば、図８Ａ−Ｂを参照して前述したように、サード・パーティによって支援されたＰ２Ｐ通信のためのデバイスおよび装置（例えば、モバイル・エンティティ）が提供される。図１０に示すように、装置１０００は、第１の情報をサード・パーティ・エンティティへ送信するための電子構成要素またはモジュール１００２を備えうる。この第１の情報は、サード・パーティ・エンティティと通信しているピア・モバイル・エンティティのための第１のメッセージを備える。例えば、第１の構成要素１００２は、プロセッサおよび／またはメモリに接続された少なくとも１つの送信機を含みうる。電子構成要素１００２は、第１の情報をサード・パーティ・エンティティへ送信するための手段でありうるか、含みうる。第１の情報は、サード・パーティ・エンティティと通信しているピア・モバイル・エンティティのための第１のメッセージを備える。前述した手段は、少なくとも１つの送信機（例えば、図２の送信機２５４ａ−ｒ、変調器２８０、および／または、ＴＸデータ・プロセッサ２３８、または、図１０のトランシーバ１０１４）でありうるか、含みうる。
【００６５】
装置１０００は、符号化された情報を、サード・パーティ・エンティティから受信するための電子構成要素１００４を備えうる。符号化された情報は、メッセージ部分を備える。例えば、電子構成要素１００４は、プロセッサおよび／またはメモリに接続された少なくとも１つの受信機を含みうる。電子構成要素１００４は、符号化された情報をサード・パーティ・エンティティから受信する手段でありうるか、含みうる。符号化された情報は、メッセージ部分を備える。前述した手段は、少なくとも１つの受信機（例えば、図２の受信機２５４ａ−ｒおよび／またはＲＸデータ・プロセッサ２６０、または図１０のトランシーバ１０１４）でありうるか、含みうる。
【００６６】
装置１０００は、制御シグナリングを、サード・パーティ・エンティティから受信するための電子構成要素１００６を備えうる。制御シグナリングは、符号化された情報を復号するための処理情報を含む。例えば、電子構成要素１００６は、プロセッサおよび／またはメモリに接続された少なくとも１つの受信機を含みうる。電子構成要素１００６は、制御シグナリングを、サード・パーティ・エンティティから受信する手段でありうるか、含みうる。制御シグナリングは、符号化された情報を復号するための処理情報を含む。前述した手段は、少なくとも１つの受信機（例えば、図２の受信機２５４ａ−ｒおよび／またはＲＸデータ・プロセッサ２６０、または、図１０のトランシーバ１０１４）でありうるか、含みうる。
【００６７】
装置１０００は、符号化された情報のメッセージ部分から、第１の情報および処理情報に少なくとも部分的に基づいて、第２のメッセージを抽出するための電子構成要素１００８を備えうる。例えば、電子構成要素１００８は、受信機、送信機、および／またはメモリに接続された少なくとも１つのプロセッサを含みうる。電子構成要素１００８は、符号化された情報のメッセージ部分から、第１の情報および処理情報に少なくとも部分的に基づいて、第２のメッセージを抽出するための手段でありうるか、含みうる。前述した手段は、少なくとも１つの制御プロセッサ（例えば、図２のプロセッサ２７０または図１０のプロセッサ１０１０）でありうるか、含みうる。
【００６８】
簡潔のために、装置１０００に関する詳細の残りは、これ以上詳しく述べない。しかしながら、装置１０００の残りの特徴および態様は、図９の装置９００に関して前述したものに実質的に類似していることが理解されるべきである。
【００６９】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７０】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７１】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７２】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７３】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。例えば、同軸ケーブル、光ファイバ・ケーブル、ツイスト・ペア、デジタル加入者線（ＤＳＬ）、または非一時的な無線技術を使用して、ウェブサイト、サーバ、あるいは他の遠隔ソースからソフトウェアが送信される場合、同軸ケーブル、光ファイバ・ケーブル、ツイスト・ペア、ＤＳＬ、または非一時的な無線技術は、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７４】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］
サード・パーティ・エンティティによる、サード・パーティによって支援されたピア・トゥ・ピア（Ｐ２Ｐ）通信のための方法であって、
第２のモバイル・エンティティのための第１のメッセージを備える第１の情報を、第１のモバイル・エンティティから受信することと、
前記第１のモバイル・エンティティのための第２のメッセージを備える第２の情報を、前記第２のモバイル・エンティティから受信することと、
前記第１の情報と前記第２の情報とに少なくとも部分的に基づいて第３の情報を符号化することと、
前記第３の情報を、前記第１のモバイル・エンティティおよび前記第２のモバイル・エンティティへ送信することと、
前記符号化された第３の情報を復号して前記第１のメッセージまたは前記第２のメッセージを抽出するための処理情報を含む制御信号を送信することと、を備える方法。
［発明２］
前記第３の情報を符号化することは、符号化前に、前記第１のメッセージおよび前記第２のメッセージの情報ビットに対してＸＯＲ演算を実行することを備える、発明１に記載の方法。
［発明３］
前記第３の情報を符号化することは、変調前に、前記第１のメッセージおよび前記第２のメッセージの符号化されたビットに対してＸＯＲ演算を実行することを備える、発明１に記載の方法。
［発明４］
前記制御信号は、ダウンリンク制御信号またはラジオ・リソース制御（ＲＲＣ）信号を備える、発明１に記載の方法。
［発明５］
前記第３の情報は、前記第１のメッセージまたは前記第２のメッセージを抽出することを容易にするためのキーを備える、発明１に記載の方法。
［発明６］
前記キーは、前記第１のメッセージおよび前記第２のメッセージのビットに対して実行される少なくとも１つの演算に関する情報を備える、発明５に記載の方法。
［発明７］
前記キーは、ラジオ・リソース制御（ＲＲＣ）シグナリングのコンテキストに、前記第３の情報のヘッダを備える、発明５に記載の方法。
［発明８］
前記ヘッダは、媒体アクセス制御（ＭＡＣ）プロトコル・データ・ユニット（ＰＤＵ）ヘッダを備える、発明７に記載の方法。
［発明９］
前記キーは、物理ダウンリンク制御チャネル（ＰＤＣＣＨ）シグナリングのコンテキストに、ＰＤＣＣＨペイロード部分、巡回冗長検査（ＣＲＣ）マスク、および、定義されたビット・パターンのうちの１つを備える、発明５に記載の方法。
［発明１０］
前記キーは、前記第１のメッセージおよび前記第２のメッセージのそれぞれのサイズに関する情報を備える、発明５に記載の方法。
［発明１１］
前記それぞれのサイズは、前記第１のメッセージおよび前記第２のメッセージのそれぞれの伝送ブロック・サイズ（ＴＢＳ）を備える、発明１０に記載の方法。
［発明１２］
前記第１のメッセージおよび前記第２のメッセージのそれぞれのＴＢＳが異なっていると判定することに応じて、
前記第１のメッセージおよび前記第２のメッセージのうち、より小さなＴＢＳを持つ所与のメッセージを識別することと、
前記第１のメッセージおよび前記第２のメッセージのそれぞれのＴＢＳに一致させるために、前記識別された所与のメッセージの所与の伝送ブロックをパディングすることと、をさらに備える発明１１に記載の方法。
［発明１３］
前記サード・パーティ・エンティティは、ネットワーク・エンティティまたは第３のモバイル・エンティティを備える、発明１に記載の方法。
［発明１４］
前記ネットワーク・エンティティはｅＮＢを備える、発明１３に記載の方法。
［発明１５］
サード・パーティ・エンティティによる、サード・パーティによって支援されたピア・トゥ・ピア（Ｐ２Ｐ）通信のための装置であって、
第２のモバイル・エンティティのための第１のメッセージを備える第１の情報を、第１のモバイル・エンティティから受信し、
前記第１のモバイル・エンティティのための第２のメッセージを備える第２の情報を、前記第２のモバイル・エンティティから受信し、
前記第１の情報と前記第２の情報とに少なくとも部分的に基づいて第３の情報を符号化し、
前記第３の情報を、前記第１のモバイル・エンティティおよび前記第２のモバイル・エンティティへ送信し、
前記符号化された第３の情報を復号して前記第１のメッセージまたは前記第２のメッセージを抽出するための処理情報を含む制御信号を送信するように構成された少なくとも１つのプロセッサと、
前記少なくとも１つのプロセッサに接続されたメモリと、を備える装置。
［発明１６］
装置であって、
第２のモバイル・エンティティのための第１のメッセージを備える第１の情報を、第１のモバイル・エンティティから受信する手段と、
前記第１のモバイル・エンティティのための第２のメッセージを備える第２の情報を、前記第２のモバイル・エンティティから受信する手段と、
前記第１の情報と前記第２の情報とに少なくとも部分的に基づいて第３の情報を符号化する手段と、
前記第３の情報を、第１のモバイル・エンティティおよび第２のモバイル・エンティティへ送信する手段と、
前記符号化された第３の情報を復号して前記第１のメッセージまたは前記第２のメッセージを抽出するための処理情報を含む制御信号を送信する手段と、を備える装置。
［発明１７］
前記制御信号は、ダウンリンク制御信号またはラジオ・リソース制御（ＲＲＣ）信号を備える、発明１６に記載の装置。
［発明１８］
前記第３の情報は、前記第１のメッセージまたは前記第２のメッセージを抽出することを容易にするためのキーを備える、発明１６に記載の装置。
［発明１９］
コンピュータ・プログラム製品であって、
第２のモバイル・エンティティのための第１のメッセージを備える第１の情報を、第１のモバイル・エンティティから受信し、
前記第１のモバイル・エンティティのための第２のメッセージを備える第２の情報を、前記第２のモバイル・エンティティから受信し、
前記第１の情報と前記第２の情報とに少なくとも部分的に基づいて第３の情報を符号化し、
前記第３の情報を、前記第１のモバイル・エンティティおよび前記第２のモバイル・エンティティへ送信し、
前記符号化された第３の情報を復号して前記第１のメッセージまたは前記第２のメッセージを抽出するための処理情報を含む制御信号を送信する、ことをコンピュータに対して実行させるためのコードを備えるコンピュータ読取可能な媒体を備える、コンピュータ・プログラム製品。
［発明２０］
モバイル・エンティティによる、サード・パーティによって支援されたピア・トゥ・ピア（Ｐ２Ｐ）通信のための方法であって、
サード・パーティ・エンティティと通信しているピア・モバイル・エンティティのための第１のメッセージを備える第１の情報を、前記サード・パーティ・エンティティへ送信することと、
メッセージ部分を備える符号化された情報を、前記サード・パーティ・エンティティから受信することと、
前記符号化された情報を復号するための処理情報を含む制御シグナリングを、前記サード・パーティ・エンティティから受信することと、
前記符号化された情報のメッセージ部分から、前記第１の情報および前記処理情報に少なくとも部分的に基づいて、第２のメッセージを抽出することと、を備える方法。
［発明２１］
前記制御シグナリングは、ダウンリンク制御信号またはラジオ・リソース制御（ＲＲＣ）信号を備える、発明２０に記載の方法。
［発明２２］
前記符号化された情報は、前記第１のメッセージまたは前記第２のメッセージを抽出することを容易にするためのキーを備える、発明２０に記載の方法。
［発明２３］
前記キーは、ラジオ・リソース制御（ＲＲＣ）シグナリングのコンテキストに、前記符号化された情報のヘッダを備える、発明２２に記載の方法。
［発明２４］
前記ヘッダは、媒体アクセス制御（ＭＡＣ）プロトコル・データ・ユニット（ＰＤＵ）ヘッダを備える、発明２３に記載の方法。
［発明２５］
前記キーは、物理ダウンリンク制御チャネル（ＰＤＣＣＨ）シグナリングのコンテキストに、ＰＤＣＣＨペイロード部分、巡回冗長検査（ＣＲＣ）マスク、および、定義されたビット・パターンのうちの１つを備える、発明２２に記載の方法。
［発明２６］
モバイル・エンティティによる、サード・パーティによって支援されたピア・トゥ・ピア（Ｐ２Ｐ）通信のための装置であって、
サード・パーティ・エンティティと通信しているピア・モバイル・エンティティのための第１のメッセージを備える第１の情報を、前記サード・パーティ・エンティティへ送信し、
メッセージ部分を備える符号化された情報を、前記サード・パーティ・エンティティから受信し、
前記符号化された情報を復号するための処理情報を含む制御シグナリングを、前記サード・パーティ・エンティティから受信し、
前記符号化された情報のメッセージ部分から、前記第１の情報および前記処理情報に少なくとも部分的に基づいて、第２のメッセージを抽出するように構成されたプロセッサと、
前記少なくとも１つのプロセッサに接続されたメモリと、を備える装置。
［発明２７］
装置であって、
サード・パーティ・エンティティと通信しているピア・モバイル・エンティティのための第１のメッセージを備える第１の情報を、前記サード・パーティ・エンティティへ送信する手段と、
メッセージ部分を備える符号化された情報を、前記サード・パーティ・エンティティから受信する手段と、
前記符号化された情報を復号するための処理情報を含む制御シグナリングを、前記サード・パーティ・エンティティから受信する手段と、
前記符号化された情報のメッセージ部分から、前記第１の情報および前記処理情報に少なくとも部分的に基づいて、第２のメッセージを抽出する手段と、を備える装置。
［発明２８］
前記制御シグナリングは、ダウンリンク制御信号またはラジオ・リソース制御（ＲＲＣ）信号を備える、発明２７に記載の装置。
［発明２９］
前記符号化された情報は、前記第１のメッセージまたは前記第２のメッセージを抽出することを容易にするためのキーを備える、発明２７に記載の装置。
［発明３０］
コンピュータ・プログラム製品であって、
サード・パーティ・エンティティと通信しているピア・モバイル・エンティティのための第１のメッセージを備える第１の情報を、前記サード・パーティ・エンティティへ送信し、
メッセージ部分を備える符号化された情報を、前記サード・パーティ・エンティティから受信し、
前記符号化された情報を復号するための処理情報を含む制御シグナリングを、前記サード・パーティ・エンティティから受信し、
前記符号化された情報のメッセージ部分から、前記第１の情報および前記処理情報に少なくとも部分的に基づいて、第２のメッセージを抽出する、ことをコンピュータに対して実行させるためのコードを備えるコンピュータ読取可能な媒体を備える、コンピュータ・プログラム製品。
【図１】
0005882365.tif 000002
【図２】
0005882365.tif 000003
【図３】
0005882365.tif 000004
【図４】
0005882365.tif 000005
【図５】
0005882365.tif 000006
【図６】
0005882365.tif 000007
【図７】
0005882365.tif 000008
【図８Ａ】
0005882365.tif 000009
【図８Ｂ】
0005882365.tif 000010
【図９】
0005882365.tif 000011
【図１０】
0005882365.tif 000012